(57)【要約】  発光素子（１４０）は基板（１００）の上に配置されている。第１の凹凸（２１２）及び第２の凹凸（２３２）は、いずれも発光素子（１４０）の光取り出し側に配置されている。第１の凹凸（２１２）は第１の方向に並んでいる。第２の凹凸（２３２）は、基板（１００）の厚さ方向において、第１の凹凸（２１２）とは異なる場所に位置しており、第１の方向と第１の角度で交わる方向（第２の方向）に並んでいる。そして、発光素子（１４０）の発光スペクトルは、２つ以上のピークを有している。
2017017852.tif 000002
【特許請求の範囲】
【請求項１】
基板と、
前記基板上に配置された発光素子と、
前記発光素子の光取り出し側に配置され、第１の方向に並んだ第１の凹凸と、
前記発光素子の光取り出し側に配置され、前記基板の厚さ方向において前記第１の凹凸と異なる場所に位置し、第１の方向と第１の角度で交わる第２の方向に並んだ第２の凹凸と、
を備え、
前記発光素子の発光スペクトルは、２つ以上のピークを有する発光装置。
【請求項２】
請求項１に記載の発光装置において、
前記第１の凹凸は規則的に配置されており、
前記第２の凹凸は規則的に配置されている発光装置。
【請求項３】
請求項２に記載の発光装置において、
前記第１の凹凸は正方格子となるように配列されており、
前記第２の凹凸は正方格子となるように配列されている発光装置。
【請求項４】
請求項３に記載の発光装置において、
前記第１の角度は１０°以上３５°以下である発光装置。
【請求項５】
請求項４に記載の発光装置において、
前記第１の角度は２０°以上２５°以下である発光装置。
【請求項６】
請求項２に記載の発光装置において、
前記第１の凹凸は六方格子となるように配列されており、
前記第２の凹凸は六方格子となるように配列されている発光装置。
【請求項７】
請求項６に記載の発光装置において、
前記第１の角度は５°以上３０°以下である発光装置。
【請求項８】
請求項７に記載の発光装置において、
前記第１の角度は２０°以上３０°以下である発光装置。
【請求項９】
請求項１〜８のいずれか一項に記載の発光装置において、
前記発光素子と前記基板の間に位置し、複数の膜を積層した積層構造を備え、
前記第１の凹凸は前記積層構造と前記基板の間又は前記積層構造の内部に位置しており、
前記第２の凹凸は前記積層構造の内部に位置している発光装置。
【請求項１０】
請求項１〜８のいずれか一項に記載の発光装置において、
前記発光素子と前記基板の間に位置し、複数の膜を積層した積層構造を備え、
前記第１の凹凸は前記積層構造と前記基板の間又は前記積層構造の内部に位置しており、
前記第２の凹凸は前記基板の第２面に位置している発光装置。
【請求項１１】
請求項１０に記載の発光装置において、
前記第２の凹凸は光学フィルムに形成されている発光装置。
【請求項１２】
請求項１〜１１のいずれか一項に記載の発光装置において、
前記発光素子の発光色は白色である発光装置。
【請求項１３】
請求項１〜１２のいずれか一項に記載の発光装置において、
前記発光素子は有機ＥＬ素子である発光装置。
【発明の詳細な説明】
【技術分野】
【０００１】
本発明は、発光装置に関する。
【背景技術】
【０００２】
発光装置の光源の一つに有機ＥＬ素子がある。有機ＥＬ素子は、２つの電極の間に有機層を配置した構成を有している。有機ＥＬ素子には、２つの電極の間に複数の有機層を有するものがある。近年は、互いに異なる色を発光する複数の有機層を重ねた構造を有する有機ＥＬ素子も提案されている。このような有機ＥＬ素子が発光する光は、発光スペクトルにおいて複数のピークを有しており、また、上記した複数の有機層の色を混ぜた色（例えば白色）になる。【０００３】
一方、有機ＥＬ素子の課題の一つに、光取り出し効率の改善がある。光取り出し効率を改善する方法の一つに、有機層と光取出面の間に回折格子を設ける方法がある。特許文献１には、有機ＥＬ素子の光取り出し側に、第１の回折格子層及び第２の回折格子層を重ねて形成することが記載されている。【０００４】
また特許文献２には、有機ＥＬ素子の光取り出し側に、２つ以上のモード変換手段を重ねて形成することが記載されている。モード変換手段としては、規則性のある屈折率分布を持つ光学的構造が例示されている。特許文献２の例えば図５３及び図５４には、２つのモード変換手段は、互いに同じ方向を向いた四方格子であること、及び、四方格子の間隔が互いに異なることが記載されている。
【先行技術文献】
【特許文献】
【０００５】
【特許文献１】特開２００８−８４６６３号公報
【特許文献２】特開２００４−３１１４１９号公報
【発明の概要】
【発明が解決しようとする課題】
【０００６】
上記したように、有機ＥＬ素子の中には、発光スペクトルにおいて複数のピークを有するものがある。このような有機ＥＬ素子において、光取り出し効率を向上させるために回折格子を用いた場合、複数のピークの光取出効率の相対値が、視野角によって異なる可能性が出てくる。この場合、有機ＥＬ素子の発光色に面内ばらつきが生じてしまう。【０００７】
本発明が解決しようとする課題としては、発光スペクトルにおいて複数のピークを有する発光素子において、光取出効率を向上させつつ、視野角による発光色の面内ばらつきを小さくすることが一例として挙げられる。
【課題を解決するための手段】
【０００８】
請求項１に記載の発明は、基板と、
前記基板上に配置された発光素子と、
前記発光素子の光取り出し側に配置され、第１の方向に並んだ第１の凹凸と、
前記発光素子の光取り出し側に配置され、前記基板の厚さ方向において前記第１の凹凸と異なる場所に位置し、第１の方向と第１の角度で交わる第２の方向に並んだ第２の凹凸と、
を備え、
前記発光素子の発光スペクトルは、２つ以上のピークを有する発光装置である。
【図面の簡単な説明】
【０００９】
上述した目的、およびその他の目的、特徴および利点は、以下に述べる好適な実施の形態、およびそれに付随する以下の図面によってさらに明らかになる。【００１０】
【図１】第１の実施形態に係る発光装置の構成を示す断面図である。
【図２】第１の凹凸の第１例を示す平面図である。
【図３】第２の凹凸の第１例を示す平面図である。
【図４】第１の凹凸と第２の凹凸の重なりを示す図である。
【図５】第１の凹凸の第２例を示す平面図である。
【図６】第２の凹凸の第２例を示す平面図である。
【図７】第１の凹凸と第２の凹凸の重なりを示す図である。
【図８】第２の実施形態に係る発光装置の構成を示す断面図である。
【図９】実施例１に係る第２の凹凸のＳＥＭ像である。
【図１０】実施例１における、第１の角度（θ１）と発光装置の発光色の視野角による色度の変動値（色差）の関係を示す図である。
【図１１】実施例１における、第１の角度（θ１）と発光装置の全光束量の関係を示す図である。
【図１２】実施例２に係る第２の凹凸のＳＥＭ像である。
【図１３】実施例２における、第１の角度（θ１）と発光装置の発光色の視野角による色度の変動値（色差）の関係を示す図である。
【図１４】実施例２における、第１の角度（θ１）と発光装置の全光束量の関係を示す図である。
【図１５】実施例３における、第１の角度（θ１）と発光装置の発光色の視野角による色度の変動値（色差）の関係を示す図である。
【図１６】実施例３における、第１の角度（θ１）と発光装置の全光束量の関係を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（第１の実施形態）
図１は、第１の実施形態に係る発光装置１０の構成を示す断面図である。発光装置１０は、基板１００、発光素子１４０、第１の凹凸２１２、及び第２の凹凸２３２を有している。発光素子１４０は基板１００の上、具体的には基板１００の第１面１０４側に配置されている。第１の凹凸２１２及び第２の凹凸２３２は、いずれも発光素子１４０の光取り出し側に配置されている。第１の凹凸２１２は第１の方向に並んでいる。第２の凹凸２３２は、基板１００の厚さ方向において、第１の凹凸２１２とは異なる場所に位置しており、第１の方向と第１の角度で交わる方向（以下、第２の方向と記載）に並んでいる。そして、発光素子１４０の発光スペクトルは、２つ以上のピークを有している。以下、詳細に説明する。
【００１３】
基板１００は、例えばガラスや透光性の樹脂などの透光性の材料で形成されている。基板１００は、例えば矩形などの多角形である。ここで、基板１００は可撓性を有していてもよい。基板１００が可撓性を有している場合、基板１００の厚さは、例えば１０μｍ以上１０００μｍ以下である。特に基板１００をガラス材料で可撓性を持たせる場合、基板１００の厚さは、例えば２００μｍ以下である。基板１００を樹脂材料で可撓性を持たせる場合は、基板１００の材料として、例えばＰＥＮ（ポリエチレンナフタレート）、ＰＥＳ（ポリエーテルサルホン）、ＰＥＴ（ポリエチレンテレフタラート）、又はポリイミドを含ませて形成されている。また、基板１００が樹脂材料を含む場合、水分が基板１００を透過することを抑制するために、基板１００の少なくとも発光面（好ましくは両面）に、ＳｉＮｘ（窒化シリコン）やＳｉＯＮ（酸窒化シリコン）などの無機バリア膜が形成されている。
【００１４】
発光素子１４０は、例えば有機ＥＬ素子である。詳細には、発光素子１４０は、基板１００の第１面１０４側から、第１電極１１０、有機層１２０、及び第２電極１３０をこの順に積層した構成を有している。そして発光素子１４０の発光は、基板１００の第２面１０６から外部に放射される。言い換えると、発光装置１０の光取り出し面は基板１００の第２面１０６である。
【００１５】
第１電極１１０は光透過性を有する透明電極である。透明電極を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。
【００１６】
有機層１２０は、例えば正孔注入層、発光層、及び電子注入層をこの順に積層した構成を有している。正孔注入層と発光層との間には正孔輸送層が形成されていてもよい。また、発光層と電子注入層との間には電子輸送層が形成されていてもよい。ただし、有機層１２０はタンデム構造の有機層であってもよい。この場合、有機層１２０は、少なくとも２種類の発光層を重ねた構成を有している。具体的には、有機層１２０は、正孔注入層、発光層、及び電子注入層をこの順に複数回繰り返し重ねた構成を有している。ある正孔注入層、発光層、及び電子注入層と、その上の正孔注入層、発光層、及び電子注入層との間には、電極又は電荷発生層が設けられていてもよい。
【００１７】
そして、有機層１２０が有する複数の発光層のうち少なくとも２つは、互いに発光色が異なり、また、発光スペクトルのピーク位置が互いに異なる。このため、発光素子１４０の発光スペクトルは、２つ以上のピークを有する。その結果、発光素子１４０の発光色は、複数の発光層の発光色が混ざった色（例えば白色）になる。
【００１８】
有機層１２０に含まれる有機層の各々は、蒸着法で形成されてもよい。また、これら有機層のうち少なくとも一つの層、例えば第１電極１１０と接触する層は、インクジェット法、印刷法、又はスプレー法などの塗布法によって形成されてもよい。なお、この場合、残りの有機層は蒸着法によって形成されている。また、上記した有機層のすべてが塗布法を用いて形成されていてもよい。
【００１９】
第２電極１３０は、例えば、Ａｌ、Ａｕ、Ａｇ、Ｐｔ、Ｍｇ、Ｓｎ、Ｚｎ、及びＩｎからなる第１群の中から選択される金属又はこの第１群から選択される金属の合金からなる金属層を含んでいる。この場合、第２電極１３０は遮光性を有している。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。
【００２０】
発光装置１０は、さらに、積層構造２００を有している。積層構造２００は、発光素子１４０と基板１００の間に位置しており、複数の膜を積層した積層構造を有している。そして、本図に示す例において、第１の凹凸２１２は基板１００と積層構造２００の界面に位置しており、第２の凹部２２２は積層構造２００の内部に位置している。ただし、第１の凹凸２１２も積層構造２００の内部に位置していてもよい。
【００２１】
詳細には、積層構造２００は、第１の平坦化層２１０、無機層２２０、第２の平坦化層２３０、及びバリア層２４０を有している。また、基板１００の第１面１０４には、複数の第１の凹部１０２が形成されている。
【００２２】
第１の凹部１０２は、基板１００をエッチングすることにより形成されている。複数の第１の凹部１０２は、いずれもほぼ同じ大きさ及び同じ形状を有しており、かつ、２次元的に規則的に配置されている。第１の平坦化層２１０は、複数の第１の凹部１０２を埋めて第１面１０４側の面を平坦にするために設けられている。第１の平坦化層２１０のうち第１面１０４側の面は、第１の凹部１０２に入り込んでいる。そして、第１の凹部１０２及び第１の平坦化層２１０によって第１の凹凸２１２が形成されている。このため、第１の凹凸２１２のレイアウトは、第１の凹部１０２のレイアウトによって定まる。なお、第１の平坦化層２１０は、基板１００とは屈折率が異なる材料（例えば基板１００よりも屈折率が大きい材料）を用いて形成されている。このため、複数の第１の凹凸２１２によって、第１の回折格子が形成される。
【００２３】
第１の平坦化層２１０のうち発光素子１４０側の面には、無機層２２０が設けられている。無機層２２０は、例えばガラスや透光性の樹脂などの透光性の材料で形成されている。無機層２２０は薄い基板であってもよい。そして、無機層２２０のうち発光素子１４０側の面には、複数の第２の凹部２２２が形成されている。複数の第２の凹部２２２は、無機層２２０をエッチングすることにより形成されている。複数の第２の凹部２２２は、いずれもほぼ同じ大きさ及び同じ形状を有しており、かつ、２次元的に規則的に配置されている。第２の平坦化層２３０は、無機層２２０の第２の凹部２２２を埋めて無機層２２０のうち発光素子１４０側の面を平坦にするために設けられている。第２の平坦化層２３０のうち無機層２２０側の面は、第２の凹部２２２に入り込んでいる。そして、第２の凹部２２２及び第２の平坦化層２３０によって、第２の凹凸２３２が形成されている。このため、第２の凹部２２２のレイアウトによって、第２の凹凸２３２のレイアウトが定まる。第２の平坦化層２３０は、無機層２２０とは屈折率が異なる材料（例えば無機層２２０よりも屈折率が大きい材料）を用いて形成されている。このため、第２の凹凸２３２によって、第２の回折格子が形成される。
【００２４】
さらに、積層構造２００はバリア層２４０を有している。バリア層２４０は、例えばＳｉＯＮ（酸窒化シリコン）膜、ＳｉＮｘ（窒化シリコン）膜、又はこれらの積層膜などであり、積層構造２００を介して発光素子１４０に水分等が侵入することを防止するために設けられる。
【００２５】
第１の凹凸２１２は規則的に配置されており、第２の凹凸２３２も規則的に配置されている。第１の凹凸２１２の配置の規則性は、第２の凹凸２３２の配置の規則性と同じである。言い換えると、第１の凹凸２１２の配置が示す図形は、第２の凹凸２３２の配置が示す図形と同一または相似である。そして、第１の凹凸２１２が並んでいる方向（第１の方向）は、第２の凹凸２３２が並んでいる方向（第２の方向）とは異なる。
【００２６】
図２は、第１の凹凸２１２の第１例を示す平面図であり、図３は、第２の凹凸２３２の第１例を示す平面図である。図２及び図３に示す例において、第１の凹凸２１２及び第２の凹凸２３２は、いずれも正方格子の格子点に配置されている。第１の凹凸２１２が構成する正方格子の大きさは、第２の凹凸２３２が構成する正方格子の大きさと同じである。
【００２７】
ただし、これら２つの正方格子の大きさや格子ピッチは互いに異なっていてもよい。また、第１の凹凸２１２及び第２の凹凸２３２は、格子に沿って凸部が線状に設けられた（言い換えると格子以外の部分が開口している又は凹部になっている）構成を有していてもよい。
【００２８】
そして、第１の凹凸２１２及び第２の凹凸２３２が正方格子を構成している場合、第１の方向及び第２の方向は、例えば正方格子の一辺に平行な方向として定義される。
【００２９】
図４に示すように、基板１００に垂直な方向から見た場合、第１の凹凸２１２と第２の凹凸２３２は重なっている。そして、第１の凹凸２１２が向いている方向（第１の方向）と第２の凹凸２３２が向いている方向（第２の方向）は、互いに異なっている。第１の方向と第２の方向とが成す角度（第１の角度）θ１は、１０°以上３５°以下、好ましくは２０°以上２５°以下である。図４に示す例では、第１の角度θ１は、４５°である
【００３０】
図５は、第１の凹凸２１２の第２例を示す平面図であり、図６は、第２の凹凸２３２の第２例を示す平面図である。図５及び図６に示す例において、第１の凹凸２１２及び第２の凹凸２３２は、いずれも正六方格子の格子点に配置されている。第１の凹凸２１２が構成する正六方格子の大きさは、第２の凹凸２３２が構成する六方格子の大きさと同じである。ただし、これら２つの六方格子の大きさや格子ピッチは互いに異なっていてもよい。また、第１例と同様に、第１の凹凸２１２及び第２の凹凸２３２は、格子に沿って凸部が線状に設けられた（言い換えると格子以外の部分が開口している又は凹部になっている）構成を有していてもよい。
【００３１】
そして、第１の凹凸２１２及び第２の凹凸２３２が六方格子を構成している場合、第１の方向及び第２の方向は、例えば六方格子の一辺に平行な方向として定義される。
【００３２】
図７に示すように、図５及び図６に示す例においても、基板１００に垂直な方向から見た場合、第１の凹凸２１２と第２の凹凸２３２は重なっている。そして、第１の凹凸２１２が向いている方向（第１の方向）と第２の凹凸２３２が向いている方向（第２の方向）は、互いに異なっている。第１の方向と第２の方向とが成す角度（第１の角度）θ１は、５°以上３０°以下、好ましくは２０°以上３０°以下である。図７に示す例では、第１の角度θ１は、３０°である。
【００３３】
なお、第１の凹凸２１２及び第２の凹凸２３２の平面レイアウトは図２〜図７に示した例に限定されない。例えば、第１の凹凸２１２及び第２の凹凸２３２は他の正多角格子となるように設けられていてもよい。また、第１の凹凸２１２が描く図形と第２の凹凸２３２が描く図形は互いに異なっていてもよい。
【００３４】
以上、本実施形態に係る発光装置１０において、発光素子１４０と基板１００の第２面１０６の間に第１の凹凸２１２及び第２の凹凸２３２を有している。第１の凹凸２１２及び第２の凹凸２３２は、いずれも回折格子を構成している。従って、発光素子１４０からの光は基板１００の外部に放射されやすくなり、その結果、発光装置１０の光取り出し効率は向上する。
【００３５】
また、発光素子１４０の発光スペクトルは、２つ以上のピークを有する。そして、第１の凹凸２１２が向いている方向と第２の凹凸２３２が向いている方向は、互いに異なる。このため、発光装置１０の色に視野角による面内ばらつきが生じることを抑制できる。
【００３６】
（第２の実施形態）
図８は、第２の実施形態に係る発光装置１０の構成を示す断面図であり、実施形態における図１に対応している。本実施形態に係る発光装置１０は、第２の凹凸２３２の代わりに第２の凹凸３０２を有している点を除いて、第１の実施形態に係る発光装置１０と同様の構成である。第２の凹凸３０２は、基板１００の第２面１０６に位置している。
【００３７】
詳細には、本実施形態において積層構造２００は第１の平坦化層２１０及びバリア層２４０の２層構造になっており、第１の実施形態に示した無機層２２０及び第２の平坦化層２３０を有していない。その代わりに、基板１００の第２面１０６には光学フィルム３００が設けられている。光学フィルム３００は、１０６とは逆側の面に第２の凹凸３０２を有している。光学フィルム３００は、例えば第２の凹凸３０２がマイクロレンズとして用いられるフィルムであってもよい。この場合、第２の凹凸３０２となる凸部の配置間隔は、第２の凹凸２３２となる凸部の配置間隔よりも１００倍以上大きくてもよい。
【００３８】
なお、第２の凹凸３０２の平面レイアウトは、第１の実施形態に示した第２の凹凸２３２の平面レイアウトと同様である。
【００３９】
本実施形態によっても、第１の実施形態と同様に、発光装置１０の光取り出し効率は向上する。また、第１の凹凸２１２が向いている方向と第２の凹凸３０２が向いている方向は、互いに異なる。このため、視野角による発光装置１０の色に面内ばらつきが生じることを抑制できる。
【実施例】
【００４０】
（実施例１）
図１に示した断面構造を有していて、第１の凹凸２１２及び第２の凹凸２３２として図２〜図４に示した構造を有する発光装置１０を作製した。詳細には、基板１００及び無機層２２０としてはガラス基板を用いた。発光素子１４０の発光スペクトルのピークは、青色と緑色と橙色のそれぞれに位置していた。発光素子１４０からの発光は白色になった。また、第１の平坦化層２１０及び第２の平坦化層２３０としては、例えば屈折率が１．８７となる熱硬化性樹脂を用いた。具体的には、基板１００及び無機層２２０をエッチングにより第１の凸凹２１２及び第２の凸凹２３２を形成し、その後、第１の平坦化層２１０及び第２の平坦化層２３０を、例えば熱硬化性樹脂をスピンコーティング法で塗布した後、加熱することにより形成した。第１の凹凸２１２及び第２の凹凸２３２の双方において、格子ピッチは８００ｎｍであった。また、図９のＳＥＭ像に示されているように、第２の凹凸２３２は、格子に沿って凸部が線状に設けられている（言い換えると格子部分が開口している又は凹部になっている）。なお、第１の凹凸２１２も第２の凹凸２３２と同様になっている。そして、第１の凹凸２１２の格子の深さは７００ｎｍ、第２の凹凸２３２の格子の深さは８５０ｎｍである。第１の平坦化層２１０に対する格子部分（開口が形成されていない部分）の面積比は５０％であった。【００４１】
図１０に、第１の角度（θ１）と、視野角を変えた時の発光装置１０の発光色の色度の変動値（色差）の関係を示す。色度の変動値（色差）は、正面0°から10°間隔で80°まで視野角を変えときの色度を測定した。本図に示すデータは、１１．２５°間隔で示されている。本図に示すように、第１の凹凸２１２と第２の凹凸２３２の向きが一致している場合（θ１＝０°）と比較して、θ１が１０°以上４５°以下の場合、色差が小さくなった。θ１が１０°以上３５°以下の場合、さらに色差が小さくなり、また、θ１が２０°以上２５°以下の場合は色差が特に小さくなった。具体的には、θ１＝０°、１１．２５°、２２．５°、３３．７５°、及び４５°における色差は、それぞれ０．００６４、０．００４６、０．００４５、０．００４８、及び０．００５５であった。【００４２】
図１１に、第１の角度（θ１）と、発光装置１０の全光束量の関係を示す。第１の凹凸２１２及び第２の凹凸２３２が存在しない場合（ただし積層構造２００そのものは存在している）、発光装置１０の全光束量は０．１３９７ｌｍ（ルーメン）であった。これに対して第１の凹凸２１２及び第２の凹凸２３２を設けると、発光装置１０の全光束量は０．１５３ｌｍ以上になった。θ１が１０°以上４５°以下の場合、全光束量が大きくなった。θ１が１０°以上３５°以下の場合、発光装置１０の全光束量はさらに大きくなり、また、θ１が２０°以上２５°以下の場合は発光装置１０の全光束量が特に大きくなった。具体的には、θ１＝０°、１１．２５°、２２．５°、３３．７５°、及び４５°における全光束量は、それぞれ０．１５３５ｌｍ、０．１５４１ｌｍ、０．１５４７ｌｍ、０．１５４５ｌｍ、及び０．１５４１ｌｍであった。【００４３】
（実施例２）
実施例２に係る発光装置１０は、第１の凹凸２１２及び第２の凹凸２３２の平面レイアウトが図５〜図７に示したレイアウトを有する点を除いて、実施例１に係る発光装置１０と同様の構造を有している。本実施例において、第１の凹凸２１２及び第２の凹凸２３２の双方において、格子ピッチは９２４ｎｍであった。また、図１２のＳＥＭ像に示されているように、第２の凹凸２３２は、格子に沿って凸部が線状に設けられている（言い換えると格子の部分が開口している又は凹部になっている）。また、第１の凹凸２１２の格子の深さは７００ｎｍ、第２の凹凸２３２の格子の深さは８５０ｎｍである。なお、第１の凹凸２１２も第２の凹凸２３２と同様になっている。第１の平坦化層２１０に対する格子部分（開口が形成されていない部分）の面積比は５０％であった。【００４４】
図１３に、第１の角度（θ１）と、視野角を変えた時の発光装置１０の発光色の色度の変動値（色差）の関係を示す。色度の変動値（色差）は、正面0°から10°間隔で80°まで視野角を変えときの色度を測定した。本図に示すデータは、７．５°間隔で示されている。本図に示すように、第１の凹凸２１２と第２の凹凸２３２の向きが一致している場合（θ１＝０°）と比較して、θ１が５°以上３０°以下の場合、色差が小さくなった。θ１が２５°以上３０°以下の場合は色差が特に小さくなった。具体的には、θ１＝０°、７．５°、１５°、２２．５°、及び３０°における色差は、それぞれ０．００４０、０．００３１、０．００３２、０．００３２、及び０．００２２であった。【００４５】
図１４に、第１の角度（θ１）と、発光装置１０の全光束量の関係を示す。本実施例においても、第１の凹凸２１２及び第２の凹凸２３２が存在しない場合、発光装置１０の全光束量は０．１３９７ｌｍ（ルーメン）であった。これに対して第１の凹凸２１２及び第２の凹凸２３２を設けると、発光装置１０の全光束量は０．１５４ｌｍ以上になった。θ１が１５°以上３０°以下の場合、発光装置１０の全光束量はさらに大きくなり、また、θ１が２０°以上３０°以下の場合は発光装置１０の全光束量が特に大きくなった。具体的には、θ１＝０°、７．５°、１５°、２２．５°、及び３０°における全光束量は、それぞれ０．１５４６ｌｍ、０．１５４７ｌｍ、０．１５５２ｌｍ、０．１５５６ｌｍ、及び０．１５６３ｌｍであった。【００４６】
（実施例３）
図８に示した断面構造を有していて、第１の凹凸２１２及び第２の凹凸２３２として図５〜図７に示した構造を有する発光装置１０を作製した。基板１００、発光素子１４０、及び第１の凹凸２１２の構造は、実施例２と同様であった。また、光学フィルム３００としては、配置ピッチ（中心間距離）が３２μｍのマイクロレンズを用いた。レンズの高さ（深さ）は１５μｍであった。光学フィルム３００は、ポリカーボネートを用いて形成されている。【００４７】
図１５に、第１の角度（θ１）と、視野角を変えた時の発光装置１０の発光色の色度の変動値（色差）の関係を示す。色度の変動値（色差）は、正面0°から10°間隔で80°まで視野角を変えときの色度を測定した。本図に示すように、第１の凹凸２１２と第２の凹凸２３２の向きが一致している場合（θ１＝０°）と比較して、θ１が５°以上３０°以下の場合、色差が小さくなった。θ１が１５°以上３０°以下の場合、さらに色差が小さくなり、また、θ１が２５°以上３０°以下の場合は色差が特に小さくなった。【００４８】
図１６に、第１の角度（θ１）と、発光装置１０の全光束量の関係を示すθ１が５°以上３０°以下の場合、発光装置１０の全光束量は大きくなり、また、θ１が１５°以上２５°以下の場合は発光装置１０の全光束量がさらに大きくなった。【００４９】
以上、図面を参照して実施形態及び実施例について述べたが、これらは本発明の例示であり、上記以外の様々な構成を採用することもできる。
【図１】
2017017852.tif 000003
【図２】
2017017852.tif 000004
【図３】
2017017852.tif 000005
【図４】
2017017852.tif 000006
【図５】
2017017852.tif 000007
【図６】
2017017852.tif 000008
【図７】
2017017852.tif 000009
【図８】
2017017852.tif 000010
【図９】
2017017852.tif 000011
【図１０】
2017017852.tif 000012
【図１１】
2017017852.tif 000013
【図１２】
2017017852.tif 000014
【図１３】
2017017852.tif 000015
【図１４】
2017017852.tif 000016
【図１５】
2017017852.tif 000017
【図１６】
2017017852.tif 000018
【国際調査報告】
2017017852.tif 000019
2017017852.tif 000020
2017017852.tif 000021
2017017852.tif 000022